(57)【要約】【課題】  比重が比較的軽い物質の効率的な回収を可能にする網下気室型湿式比重選別機を提供することである。【解決手段】  被選別物質が投入される選別室（１２）と、選別室の下方に位置する脈動室（１４）と、選別室と脈動室との間に位置する網目（１６）と、選別室に設けられ、第１エジェクタを経由して被回収物質が排出される第１排出口（１２ｂ）と、第１排出口に隣接して配置され、被回収物質が外部に排出される際の経路となる排出路（１８）とを備えた網下気室型湿式比重選別機（１０）において、選別室内の所定高さの箇所から外壁を貫通して選別室の外部に延びた１又は複数の第２エジェクタ（２０）を更に備えていることを特徴とする選別機が提供される。【選択図】  図１
2010227819.tif 000002
【特許請求の範囲】
【請求項１】
被選別物質が投入される選別室と、前記選別室の下方に位置する脈動室と、前記選別室と前記脈動室との間に位置する網目と、前記選別室に設けられ、第１エジェクタを経由して被回収物質が排出される第１排出口と、前記第１排出口に隣接して配置され、被回収物質が外部に排出される際の経路となる排出路とを備えた網下気室型湿式比重選別機において、
前記選別室内の所定高さの箇所から前記選別室の外壁を貫通して前記選別室の外部に延びた１又は複数の第２エジェクタを更に備えていることを特徴とする比重選別機。
【請求項２】
前記第２エジェクタが、スクリューコンベアであることを特徴とする請求項１に記載された比重選別機。
【発明の詳細な説明】
【技術分野】
【０００１】
本発明は一般に、網下気室型湿式比重選別機に関する。より詳細には、本発明は、比重が比較的軽い物質の効率的な回収を可能にする網下気室型湿式比重選別機に関する。
【背景技術】
【０００２】
混在した複数の物質の中から特定の物質を選択的に回収する機械として、網下気室型湿式比重選別機が知られている。網下気室型湿式比重選別機は、選別しようとする物質（以下「被選別物質」という）が入れられる選別室が上方に、水が充填される脈動室が下方に位置し、選別室と脈動室との間に網目が配置されている。脈動室内には、空気を入／出させる空気室が配置されており、空気室内の水位を空気の入／出によって昇降させることにより、選別室内の水位を昇降させることができるようになっている。そして、選別室に入れた物質に適切な水の脈動を与えることによって、選別室内に比重別の物質の層が形成されるように構成されている（図６参照）。
【０００３】
網下気室型湿式比重選別機においては通常、成層化された物質のうち最下層の物質が回収しようとする物質（以下「被回収物質」という）になるが、被回収物質は、選別室の下部に設けた排出口から排出路を介して外部に回収されるようになっている。一方、被選別物質のうちから被回収物質を除いた物質（以下「軽比重物質」という）は、排出路の上方に位置する回収口から、排出路の上端を越流するオーバーフロー水とともに、比重選別機の外部に排出されるようになっている。
【発明の開示】
【発明が解決しようとする課題】
【０００４】
しかしながら、従来の網下気室型湿式比重選別機では、軽比重物質の排出量は、オーバーフロー水（従って、脈動の大小）に左右されるという課題があった。すなわち、大きな脈動が必要とされる場合であっても軽比重物質の排出量が少なくともよいことがある一方、脈動を小さくしなければならない場合であっても多量の軽比重物質を排出するのが好ましいこともある。
【０００５】
本発明は、このような事情に鑑みて案出されたものであって、比重が比較的軽い物質の効率的な回収を可能にする網下気室型湿式比重選別機を提供することを目的としている。
【課題を解決するための手段】
【０００６】
本願請求項１に記載の被選別物質が投入される選別室と、前記選別室の下方に位置する脈動室と、前記選別室と前記脈動室との間に位置する網目と、前記選別室に設けられ、第１エジェクタを経由して被回収物質が排出される第１排出口と、前記第１排出口に隣接して配置され、被回収物質が外部に排出される際の経路となる排出路とを備えた網下気室型湿式比重選別機は、前記選別室内の所定高さの箇所から前記選別室の外壁を貫通して前記選別室の外部に延びた１又は複数の第２エジェクタを更に備えていることを特徴とするものである。
【０００７】
本願請求項２に記載の網下気室型湿式比重選別機は、前記請求項１の比重選別機において、前記第２エジェクタが、スクリューコンベアであることを特徴とするものである。
【発明の効果】
【０００８】
本発明の網下気室型湿式比重選別機によれば、比重が比較的軽い物質の効率的な回収を行うことができる。
【発明を実施するための最良の形態】
【０００９】
次に図面を参照して、本発明の好ましい実施の形態に係る網下気室型湿式比重選別機について詳細に説明する。図１において全体として参照符号１０で示される本発明の好ましい実施の形態に係る網下気室型湿式比重選別機は、被選別物質が投入される選別室１２と、選別媒体（例えば水）が充填される脈動室１４と、選別室１２と脈動室１４との間に配置される網目１６とを備えている。
【００１０】
選別室１２の一方の側の上部には、被選別物質が投入される投入口１２ａが設けられ、選別室１２の他方の側の下部には、被回収物質が排出される第１排出口１２ｂが設けられている。そして、第１排出口１２ｂに隣接して、被回収物質が外部に排出される際の経路となる排出路１８が配置され、排出路１８内に、被回収物質を排出させるための第１エジェクタ１８ａが配置されている。
【００１１】
第１エジェクタ１８ａは、シャフトに複数枚（図１では４枚）のブレードが取り付けられた形態を有しており、シャフトに連結されたモータ（図示せず）を回転駆動させることによってブレードを回転させ、これにより第１排出口１２ｂ付近に位置する被回収物質を排出路１８を介して排出させるようになっている。
【００１２】
網下気室型湿式比重選別機１０は又、選別室１２の内部の所定高さ（網目１６から高さｈ）の箇所から選別室１２の外壁を貫通して選別室１２の外部に延びた第２エジェクタ２０を備えている（図２参照）。
【００１３】
第２エジェクタ２０は、パイプ状のケーシング２０ａと、ケーシング２０ａ内に配置されたスクリュー状の回転ブレード２０ｂと、ケーシング２０ａに設けられた開口部２０ｃとを有している。第２エジェクタ２２としては、通常のスクリューコンベアを用いてもよい。
【００１４】
第２エジェクタ２０は、モータ（図示せず）を回転駆動させることによってブレード２０ｂを回転させ、これにより開口部２０ｃ付近に位置する被回収物質を外部に排出させるようになっている。
【００１５】
なお、第２エジェクタ２０の先端には、被回収物質を所望の箇所まで搬送するためのコンベア２２が連結されている。コンベア２２の型式は、垂直方向上方に延びた型式のもの（図３（ａ）参照）でもよく、斜め上方に延びた型式のもの（図３（ｂ）参照）でもよく、下方に延びた型式のもの（図３（ｃ）参照）でもよい。
【００１６】
次に、図４を参照して、以上のように構成された網下気室型湿式比重選別機１０の作動について説明する。物質Ａ（比重γA 、図４で「○」で図示）と物質Ｂ（比重γB ＜γA、図４で「△」で図示、「軽比重物質」となる）とから構成される物質（Ａ＋Ｂ）を取り扱う場合を例にとる。
【００１７】
まず最初に、選別室内に物質（Ａ＋Ｂ）を投入し、脈動を開始すると、物質（Ａ＋Ｂ）は、比重差により次第に分離し、比重の重い物質Ａ「○」が下層を、比重の軽い物質Ｂ「△」が上層を構成するように成層化する。このようにして成層化された物質のうち、物質Ａは、第１エジェクタ１８ａを作動させて排出口１２ｂから排出路１８を経由して外部に排出される。一方、選別室内の上層に位置する軽比重物質Ｂは、第２エジェクタ２０から外部に排出される（図４（ｂ）参照）。
【００１８】
本発明は、以上の発明の実施の形態に限定されることなく、特許請求の範囲に記載された発明の範囲内で、種々の変更が可能であり、それらも本発明の範囲内に包含されるものであることはいうまでもない。
【００１９】
例えば、前記実施の形態では、比重選別機に１基の第２エジェクタ２０が配置されているが、図５（ａ）に示されるように、複数の第２エジェクタ（すなわち、網目１６から高さｈ1 のところに第２エジェクタ２０′、網目１６から高さｈ2 のところに第２エジェクタ２０′′を配置してもよい）。このように構成することにより、所望の層の物質を選択的に排出することができる。また、回転ブレードの螺旋の向きを互いに逆にした一対の第２エジェクタ２０を互いに遠去かる方向に向かうように配置してもよい（図５（ｂ）参照）。
【００２０】
さらに、前記実施の形態では、単一の選別室をもつ比重選別機について説明されているが、複数の選別室が直列に連結された比重選別機に第２エジェクタをそれぞれ配置してもよい。
【図面の簡単な説明】
【００２１】
【図１】本発明の好ましい実施の形態に係る網下気室型湿式比重選別機を模式的に示した斜視図である。
【図２】図１の選別機の断面図である。
【図３】図１の選別機において第２エジェクタに先端に連結されるコンベアの形態を示した一連の図である。
【図４】図１の網下気室型湿式比重選別機の作動を説明するための図である。
【図５】図１の選別機の変形形態を示した断面図である。
【図６】網下気室型湿式比重選別機の動作原理を説明するための図である。
【符号の説明】
【００２２】
１０  網下気室型湿式比重選別機
１２  選別室
１２ａ  投入口
１２ｂ  第１排出口
１４  脈動室
１６  網目
１８  排出路
１８ａ  第１エジェクタ
２０  第２エジェクタ
２０ａ  パイプ状のケーシング
２０ｂ  回転ブレード
２０ｃ  開口部
２２  コンベア
【図１】
2010227819.tif 000003
【図２】
2010227819.tif 000004
【図３】
2010227819.tif 000005
【図４】
2010227819.tif 000006
【図５】
2010227819.tif 000007
【図６】
2010227819.tif 000008